(57)【特許請求の範囲】
【請求項１】
車止めブロックを舗装面に固定する方法に於いて、
車止めブロックのアンカー用空洞部の数と位置に合わせて舗装の全厚及びこの下の砕石路盤の上の部分を削孔し、
〈舗装の削孔部〉、〈舗装の下面と砕石路盤の上面との隙間〉及び〈砕石路盤の上の部分〉の３箇所にモルタルを注入し、
ここに金属拡張系芯棒打込み式アンカーを先端から挿入し、
金属拡張系芯棒打込み式アンカーの先端部が砕石路盤の上の部分に挿入された状態で金属拡張系芯棒打込み式アンカーの頭部のピンを叩いて金属拡張系芯棒打込み式アンカーの先端部の短冊状裾部を外方へ押し開くことで削孔部に圧力が加わり砕石路盤の上の部分及び隙間Ｓにモルタルを浸透させ十分に充填させて
〈短冊状裾部〉、〈砕石路盤の上の部分〉及び〈モルタル〉の３つの要素がモルタルの硬化により一体になりモルタル塊ストッパーが形成され、
金属拡張系芯棒打込み式アンカーの数と位置に合わせて車止めブロックのアンカー用空洞部に金属拡張系芯棒打込み式アンカーを挿入して舗装面に設置し、
アンカー用空洞部にモルタルを詰め、
モルタル塊ストッパーにより車止めブロックを舗装面に強固に固定した車止めブロックの固定方法。
【発明の詳細な説明】
【技術分野】
【０００１】
この発明は駐車場に使用する車止めブロックの固定構造に関する。
【背景技術】
【０００２】
駐車場に使用する車止めブロックは、長さ６０ｃｍ高さ１０ｃｍ前後のものが多い。材料はコンクリートが一般的であるが、他にも合成樹脂、再生合成樹脂、ゴム、木材、鉄材などがある。舗装面にブロックを固定する方法はアンカー金具を使用するものが多い。その一例として特許文献１のものがある。
【先行技術文献】
【特許文献】
【０００３】
【特許文献１】特許第３６７１６３７号
【発明の概要】
【発明が解決しようとする課題】
【０００４】
前記の特許文献１について、アンカー金具の使用方法を特許文献１の図１０について考察すると、その先端の拡大部の、くさび部分が、引き抜き力と同じ方向のため、取れやすい構造である。この、くさび部分とは特許文献１の段落（００６４）の６行目の短冊状裾部２１のことである。この問題点について本願の図１により説明する。１はアンカー金具、２は削孔部、Ｔは力である。アンカー金具１の拡大部1Ａの部分で削孔部２の側面に圧着しているが、力Ｔに対して抵抗力が小さい。力Ｔと、くさびの方向が同じであるからである。すなわち、くさびの形状が力Tの作用方向に従って順次縮小している形状である。更に削孔部２の廻りがアスファルトの場合、夏の高温時はアスファルトが軟らかくなり更に抵抗力が低下する。特許文献１の図１０のものはコンクリート舗装を想定しているが本願はアスファルト舗装及びコンクリート舗装の下に砕石路盤がある場合を想定している。また本願の舗装とは、この下部の砕石路盤を含まないアスファルト舗装又はコンクリート舗装のこととする。一般の場合の砕石路盤の上にアスファルト舗装を施工した場合の様子を図１０の図面代用写真で示す。図１０（Ａ）は斜視であり、図１０（Ｂ）は断面である。
【課題を解決するための手段】
【０００５】
前記の課題を解決するために本願では、アンカー金具１を舗装の全厚及び砕石路盤の上の部分に挿入し、これらの部分にモルタル（又は、セメントペースト、以下同様）の硬化部分を作り、このモルタル塊をストッパーとした。これを図２により説明する。３は舗装、４は舗装の下面である。舗装３の下の砕石路盤の上の部分に注入したモルタルとの混合物によるモルタル塊ができ、アンカー金具１の拡大部と一体になったモルタル塊ストッパー５が形成される。モルタル塊ストッパー５は図２、図４及び図６（Ｂ）の一点鎖線（符号L）に囲まれた部分である。これを図９の図面代用写真に示す。これにより図２に記載の力Ｔに強力に抵抗できる。
【発明の効果】
【０００６】
アンカー金具１の先端の拡大部の、くさび部分が、引き抜き力と同じ方向では、取れやすい構造である。この課題を解決するために本願では、アンカー金具１を舗装の全厚及び砕石路盤の上の部分に挿入し、これらの部分にモルタルの硬化部分を作り、これをモルタル塊のストッパーとした。このモルタル塊ストッパーにより図２に記載の力Ｔに強力に抵抗できる。
【図面の簡単な説明】
【０００７】
【図１】アンカー金具と削孔部との関係を示す説明図である。
【図２】段落（０００４）の課題を解決するための手段を示す説明図である。
【図３】舗装の全厚と、この下の砕石路盤の上の部分を削孔する説明図である。
【図４】削孔部の上端からモルタルを注入する部分の説明図とモルタル塊ストッパーの        説明図である。
【図５】金属拡張系芯棒打込み式アンカーを示す図面代用写真である。
【図６】アンカー用ボルトの説明図である。
【図７】金属拡張系芯棒打込み式アンカーの使用状態を示す説明図である。
【図８】車止めブロックの斜視図及び側断面図及び横断面図である。
【図９】モルタル塊ストッパーの図面代用写真である。
【図１０】砕石路盤の上にアスファルト舗装を施工した場合の図面代用写真である。
【図１１】試験方法、試験片（丸型）及び試験片（角型）の説明図である。
【図１２】試験の結果を示すグラフである。
【発明を実施するための形態】
【実施例１】
【０００８】
図３のように、舗装３の全厚と、この下の砕石路盤８の上の部分をドリルで削孔する。削孔後、孔内を清掃する。
【０００９】
図４のように削孔部２の上端からモルタル９注入し砕石路盤８の上の部分及び隙間Ｓ及び削孔部２の高さの適正で必要な高さまでモルタル９を注入する。この適正で必要な高さとは、削孔部２にアンカー金具１を挿入して削孔部２に圧力が加わり砕石路盤８の上の部分及び隙間Ｓにモルタルが浸透して十分に充填する量を確保する高さのことである。この時、舗装の下面４と砕石路盤８の上面との隙間Ｓ及び砕石路盤８の上の部分にもモルタル９を注入する。その範囲は図４の一点鎖線の範囲である。この一点鎖線を符号Ｌで示す。
【００１０】
アンカー金具１に本願では金属拡張系芯棒打込み式アンカー又はアンカー用ボルトを使用する。金属拡張系芯棒打込み式アンカーを図５に示す。アンカー用ボルトは一般的なものであるがこれを図６のように頭部を下に使用して拡径部をモルタルに埋め込み、金属拡張系芯棒打込み式アンカーと同様の強度上の効果を生じる。金属拡張系芯棒打込み式アンカーの符号を６とする。またアンカー用ボルトの符号はＢとする。この金属拡張系芯棒打込み式アンカー６の先端部を拡大する前のものを図５（Ａ）に示す。この頭部のピンをハンマーで叩いて、先端部を拡大しナット及びワッシャーＷを取り外したものを図５（Ｂ）に示す。この先端部の拡大部分を本願の短冊状裾部とし、図５（ＢＢ）に示す。金属拡張系芯棒打込み式アンカー６の頭部のナットとワッシャーＷを取り外しボルト１２を高ナットで結合し延長する場合の結合の前の状態を図５（Ｃ）に示す。ボルト１２を高ナットにより結合した状態を図５（Ｄ）に示す。
【００１１】
図４及び段落（０００９）のように削孔部２の上端からモルタル９を注入し、この削孔部２に図５(Ａ)の先端部を拡大する前の金属拡張系芯棒打込み式アンカー６又はアンカー用ボルトＢを挿入する。これにより砕石路盤８の上の部分及び舗装の下面４と砕石路盤８の上面との隙間Ｓに圧力を加えてモルタル９を注入する。金属拡張系芯棒打込み式アンカー６の場合は頭部のピンをハンマーで叩いて、先端部を拡大する。この時、ワッシャーＷを舗装面に密着した状態で金属拡張系芯棒打込み式アンカーの先端部が砕石路盤の上の部分に挿入する長さにする。これを図７（Ａ）、（Ｂ）に示す。（Ａ）はアンカー用空洞部に先端部を押し開く前の金属拡張系芯棒打込み式アンカーを挿入した状態であり、（Ｂ）は頭部のピンをハンマーで叩き先端部を押し開きナットとワッシャーＷを取り外したものである。
【００１２】
金属拡張系芯棒打込み式アンカーの場合に先端部が砕石路盤の上の部分に挿入する部分が長すぎる場合は金属拡張系芯棒打込み式アンカーを上に移動しワッシャーＷと舗装面との間に打撃用支持台７を設置して頭部のピンをハンマーで叩く。打撃用支持台７は鉄片又は堅い木などである。この様子を図７（Ｃ）に示す。頭部のピンをハンマーで叩き先端部を押し開いたものを図７（Ｄ）に示す。打撃用支持台７が無い場合は金属拡張系芯棒打込み式アンカー６の頭部のピンの部分を叩いた場合金属拡張系芯棒打込み式アンカー６の全体が砕石路盤８の中に沈み金属拡張系芯棒打込み式アンカー６の先端部を開くことはできない。
【００１３】
この作業により金属拡張系芯棒打込み式アンカー６の先端部を砕石路盤８の外方へ押し開き設置する。打撃用支持台７及び金属拡張系芯棒打込み式アンカー６の頭部のナット及びワッシャーＷを取り外し金属拡張系芯棒打込み式アンカー６の先端部を拡大したものを図７（Ｂ）に示す。符号Ａは金属拡張系芯棒打込み式アンカーのピンの先端である。金属拡張系芯棒打込み式アンカー６の先端部とモルタル９と砕石路盤８の３者が一体になり、モルタル９が硬化してモルタル塊ストッパー５が形成される。モルタル塊ストッパー５を取り出したものを図９の図面代用写真に示す。（Ａ）は金属拡張系芯棒打込み式アンカーの場合の側面、（Ｂ）は上からの斜視、（Ｃ）は下からの斜視である。（Ｄ）はアンカー用ボルトの場合の側面、（Ｅ）は上からの斜視、（Ｆ）は下からの斜視である。
【００１４】
アンカー金具に金属拡張系芯棒打込み式アンカー６を使用せずにアンカー用ボルトＢを使用する場合はアンカー金具の材料費は減少するが削孔する径が増加する。例えば軸部の径が１０ｍｍのアンカー用ボルトの場合、頭部の径は約１９．５ｍｍでありアンカー金具の材料費は減少するが削孔費及びモルタルの使用量が増加する。特に削孔費の増加が著しい。
【００１５】
アンカー金具にアンカー用ボルトＢを使用する場合の砕石路盤８の上の部分の削孔部２は削孔の直後は空洞のまゝである。これを図６の(Ａ)に示す。この後モルタル９を注入しアンカー用ボルトＢに回転や振動を加えると図６の(Ｂ)のようにモルタルと共に砕石が、くずれモルタル９と砕石が混合したものになる。
【００１６】
車止めブロックＫを図８に示す。車止めブロックＫの材料はコンクリートの他、前記の段落（０００２）のように合成樹脂、再生合成樹脂、ゴム、木材、鉄材などである。アンカー用空洞部１０の数は本願では２個とする。モルタル９の硬化の後、アンカー用空洞部１０の隙間の大きさによりモルタルの注入の施工性よりナット及びワッシャーを取り外すか判断する。また金属拡張系芯棒打込み式アンカー６が短い場合は高ナット及びボルトにより延長する。延長する場合は図７（Ｃ）及び図５の(Ｃ)、(Ｄ)に記載のようになる。特に大型車の為に高さの高いブロックを必要とする場合である。
【００１７】
金属拡張系芯棒打込み式アンカー６の数と位置又はアンカー用ボルトＢの数と位置に合わせて車止めブロックＫを設置しアンカー用空洞部１０に空洞部充填用モルタル１３を詰め空洞部充填用モルタル１３が硬化し沈下の後、更に仕上げの空洞部充填用モルタル１３を詰めて完成する。
【００１８】
金属拡張系芯棒打込み式アンカーを用いた場合について固定度の強度の実験を行った。荷重のかけ方は実験上、舗装面に水平とし、アンカー用空洞部の数は１個とした。試験機器は（株）島津製作所製ＡＧ-１００ｋＮＩＳ ＭＯ形を使用した。その結果は丸型の最大荷重は１２．４ｋＮ、角型の最大荷重は１２．１ｋＮであり降伏点荷重は、いずれも６．３ｋＮであり約６３０ｋｇｆまで耐えることができた。
【００１９】
この試験方法を図１１（Ａ）に示す。また試験片（丸型）の写真を（Ｂ）に示す。また試験片（角型）の写真を（Ｃ）に示す。
【００２０】
試験の結果のグラフを図１２に示す。
【符号の説明】
【００２１】
１  アンカー金具
１Ａ  拡大部
２  削孔部
３  舗装
４  舗装の下面
５  モルタル塊ストッパー
６  金属拡張系芯棒打込み式アンカー
７  打撃用支持台
８  砕石路盤
９  モルタル
１０  アンカー用空洞部
１１  高ナット
１２  ボルト
１３  空洞部充填用モルタル
Ｔ  力
Ｌ  一点鎖線
Ｂ  アンカー用ボルト
Ｓ  隙間
Ｋ  車止めブロック
Ｗ  ワッシャー
Ａ  金属拡張系芯棒打込み式アンカーのピンの先端
【図１】
0006023274.tif 000002
【図２】
0006023274.tif 000003
【図３】
0006023274.tif 000004
【図４】
0006023274.tif 000005
【図６】
0006023274.tif 000006
【図７】
0006023274.tif 000007
【図８】
0006023274.tif 000008
【図１２】
0006023274.tif 000009
【図５】
0006023274.tif 000010
【図９】
0006023274.tif 000011
【図１０】
0006023274.tif 000012
【図１１】
0006023274.tif 000013